(57)【特許請求の範囲】
【請求項１】
天板下面に複数本設けられた支持脚と、相対向する支持脚間に設置される幕板と、この幕板の両側部を前記支持脚に固定させる固定部材とを備えたテーブル、机等の幕板取付装置において、前記固定部材に、前記支持脚の任意の周側部を挟持してネジにて固定される水平部と、この水平部に対して垂直に突出して、前記幕板の側部に突設された突出ピンを受ける受け孔が形成された垂直部とを一体に形成し、
前記支持脚における前記固定部材の固定位置から距離をおいて、側方に突出するピン体を設置し、前記幕板に、幕板裏側の一部に上下に延びるように形成された第１溝部と、この第１溝部の略中央から垂直に前記裏側近傍の側部まで延びるように形成された水平溝およびこの水平溝に対して垂直に、前記側部に上下に延びるように形成された垂直溝からなる第２溝部とを設け、前記ピン体を、前記幕板の第１溝部に挿入して第２溝部の水平溝から垂直溝へ移動可能にし、この垂直溝にて前記ピン体を保持固定するように構成したことを特徴とするテーブル、机等の幕板取付装置。
【請求項２】
天板下面に複数本設けられた支持脚と、相対向する支持脚間に設置される幕板と、この幕板の両側部を前記支持脚に固定させる固定部材とを備えたテーブル、机等の幕板取付装置において、前記固定部材に、前記支持脚の任意の周側部を挟持してネジにて固定される水平部と、この水平部に対して垂直に突出して、前記幕板の側部に突設された突出ピンを受ける受け孔が複数形成された垂直部とを一体に形成し、
前記支持脚における前記固定部材の固定位置から距離をおいて、側方に突出するピン体を設置し、前記幕板に、幕板裏側の一部に上下に延びるように形成された第１溝部と、この第１溝部の略中央から垂直に前記裏側近傍の側部まで延びるように形成された水平溝およびこの水平溝に対して前記側部に垂直に上下に延びるように形成された垂直溝からなる第２溝部とを設け、前記ピン体を、前記幕板の第１溝部に挿入して第２溝部の水平溝から垂直溝へ移動可能にし、この垂直溝にて前記ピン体を保持固定するように構成したことを特徴とするテーブル、机等の幕板取付装置。
【請求項３】
天板下面に複数本設けられた支持脚と、相対向する支持脚間に設置される幕板と、この幕板の両側部を前記支持脚に固定させる固定部材とを備えたテーブル、机等の幕板取付装置において、前記固定部材に、前記支持脚の任意の周側部を挟持してネジにて固定される水平部と、この水平部に対して垂直に突出して、前記幕板の側部に突設された突出ピンを受ける受け孔が複数形成された垂直部とを一体に形成し、
前記固定部材を水平部と垂直部とで略Ｌ字状にし、複数の前記固定部材を適宜組み合せて各水平部を前記支持脚に固定し、複数の相対向する支持脚に固定された前記固定部材との間にそれぞれ幕板を設置可能にしたことを特徴とするテーブル、机等の幕板取付装置。
【発明の詳細な説明】
【０００１】
【産業上の利用分野】
本発明は、支持脚間に幕板を設置するためのテーブル、机等の幕板取付装置に関する。
【０００２】
【従来の技術】
一般にテーブル、机等は、複数本の支持脚間において使用者の脚が入る側を除いて幕板が設置されている。この幕板を支持脚に取り付けるための装置としては、従来より多くのものが提案され、実施されている。最も簡単にはネジで幕板を支持脚に固定するものがある。
【０００３】
また図５に示すように、支持脚１に固定された突起軸２の先端に形成された拡径部２ａを、幕板３の側部３ａに上下に延びるように形成された小径部４ａと大径部４ｂとからなる受溝４の前記大径部４ｂに挿入して、大径部４ｂより小径部４ａに移動し、この小径部４ａにて前記拡径部２ａを保持固定するものがある。
【０００４】
【発明が解決しようとする課題】
しかし、前記従来の幕板取付装置では、支持脚における幕板の取付位置が一定位置であり、機種ごとに両者の取付位置に応じてネジ部や突起軸等を設ける必要があり、さらに幕板の高さを変えることなどは容易にできなかった。
【０００５】
また、幕板の支持脚に対する取り付け、取り外しは、支持脚間においてネジの取り付け、取り外し等を伴い、その作業は煩雑なものであった。まして、１本の支持脚に対して複数の幕板を設置するものであればなおさらである。図５の構造では、両支持脚に幕板を固定した後における幕板の取り外しは困難であるという問題があった。
【０００６】
したがって、本発明の目的は、前記問題を解決し、幕板の取付位置を容易に変えられ、しかも、１本の支持脚に複数の幕板が設置でき、さらに、幕板の取り付け、取り外しが容易なテーブル、机等の幕板取付装置を提供することにある。
【０００７】
【課題を解決するための手段】
上記課題を達成するため、請求項１記載の発明は、天板下面に複数本設けられた支持脚と、相対向する支持脚間に設置される幕板と、この幕板の両側部を前記支持脚に固定させる固定部材とを備えたテーブル、机等の幕板取付装置において、前記固定部材に、前記支持脚の任意の周側部を挟持してネジにて固定される水平部と、この水平部に対して垂直に突出して、前記幕板の側部に突設された突出ピンを受ける受け孔が形成された垂直部とを一体に形成し、前記支持脚における前記固定部材の固定位置から距離をおいて、側方に突出するピン体を設置し、前記幕板に、幕板裏側の一部に上下に延びるように形成された第１溝部と、この第１溝部の略中央から垂直に前記裏側近傍の側部まで延びるように形成された水平溝およびこの水平溝に対して垂直に、前記側部に上下に延びるように形成された垂直溝からなる第２溝部とを設け、前記ピン体を、前記幕板の第１溝部に挿入して第２溝部の水平溝から垂直溝へ移動可能にし、この垂直溝にて前記ピン体を保持固定するように構成したことを特徴とするテーブル、机等の幕板取付装置を提供する。
【０００８】
請求項２記載の発明は、天板下面に複数本設けられた支持脚と、相対向する支持脚間に設置される幕板と、この幕板の両側部を前記支持脚に固定させる固定部材とを備えたテーブル、机等の幕板取付装置において、前記固定部材に、前記支持脚の任意の周側部を挟持してネジにて固定される水平部と、この水平部に対して垂直に突出して、前記幕板の側部に突設された突出ピンを受ける受け孔が複数形成された垂直部とを一体に形成し、前記支持脚における前記固定部材の固定位置から距離をおいて、側方に突出するピン体を設置し、前記幕板に、幕板裏側の一部に上下に延びるように形成された第１溝部と、この第１溝部の略中央から垂直に前記裏側近傍の側部まで延びるように形成された水平溝およびこの水平溝に対して前記側部に垂直に上下に延びるように形成された垂直溝からなる第２溝部とを設け、前記ピン体を、前記幕板の第１溝部に挿入して第２溝部の水平溝から垂直溝へ移動可能にし、この垂直溝にて前記ピン体を保持固定するように構成したことを特徴とするテーブル、机等の幕板取付装置を提供する。
【０００９】
請求項３記載の発明は、天板下面に複数本設けられた支持脚と、相対向する支持脚間に設置される幕板と、この幕板の両側部を前記支持脚に固定させる固定部材とを備えたテーブル、机等の幕板取付装置において、前記固定部材に、前記支持脚の任意の周側部を挟持してネジにて固定される水平部と、この水平部に対して垂直に突出して、前記幕板の側部に突設された突出ピンを受ける受け孔が複数形成された垂直部とを一体に形成し、前記固定部材を水平部と垂直部とで略Ｌ字状にし、複数の前記固定部材を適宜組み合せて各水平部を前記支持脚に固定し、複数の相対向する支持脚に固定された前記固定部材との間にそれぞれ幕板を設置可能にしたことを特徴とするテーブル、机等の幕板取付装置を提供する。
【００１０】
【作用】
請求項１記載のテーブル、机等の幕板取付装置においては、支持脚の任意の位置に固定部材の水平部を位置させ、支持脚の周側を挟持させてネジにて固定させ、この状態で固定部材の垂直部と幕板とを連結させる。このように固定部材の支持脚に対する位置（上下あるいは周方向）を容易に変えられるので、幕板の設置位置を自由に設定できることになる。前記固定部材にて幕板の一端を支持脚に固定し、さらに、幕板の裏側からピン体を挿入し、さらに裏側の第１溝部から幕板の側部の第２溝部へ移動して、第２溝部の垂直溝でピン体を保持固定することで、幕板の他端が支持脚に固定される。この際、前記ピン体を介した幕板と支持脚との取り付け、取り外しは、幕板あるいは支持脚の移動によって容易にできることになる。
【００１１】
請求項２記載のテーブル、机等の幕板取付装置においては、固定部材の垂直部に幕板の突出ピンと連結するための受け孔を複数設けたことで、幕板の取付位置の調整ができ、特に、複数の幕板を設置する場合に、幕板の高さを合わせるのに有効である。前記固定部材にて幕板の一端を支持脚に固定し、さらに、幕板の裏側からピン体を挿入し、さらに裏側の第１溝部から幕板の側部の第２溝部へ移動して、第２溝部の垂直溝でピン体を保持固定することで、幕板の他端が支持脚に固定される。この際、前記ピン体を介した幕板と支持脚との取り付け、取り外しは、幕板あるいは支持脚の移動によって容易にできることになる。
【００１２】
請求項３記載のテーブル、机等の幕板取付装置においては、固定部材の垂直部に幕板の突出ピンと連結するための受け孔を複数設けたことで、幕板の取付位置の調整ができ、特に、複数の幕板を設置する場合に、幕板の高さを合わせるのに有効である。複数の前記固定部材の水平部を上下に並べるようにして、支持脚に固定することで１本の支持脚に複数の幕板の側部を固定できる。また、複数の固定部材の各垂直部の向きを適当に配置することで、垂直部の複数の受け孔と幕板の固定部分との位置を変えることができるので、各幕板の高さを合わせることが可能になる。
【００１３】
【実施例】
以下、本発明の実施例を図面を参照して説明する。
図１から図４は本発明をテーブルに適用した場合の一実施例を示したものであり、図１は本実施例の全体斜視図であって、テーブルは、天板１１と、４本の支持脚１２と、支持脚１２間に設置された幕板１３とを備えており、支持脚１２は、下端に高さ調整用のアジャスタ１４を備えた脚本体１５と、この脚本体１５の上端に取り付けられた支持具１６とからなる。支持具１６には、天板１１の下面の一部と嵌合する嵌合溝１６ａが周囲に等間隔に形成されている。また、脚本体１５には幕板１３を固定する固定部材１７が設けられている。
【００１４】
図２は前記支持脚と幕板部分の分解斜視図であり、幕板１３の両側上部には、幕板１３の裏側の一部に上下に延びるように形成された第１溝部２０と、この第１溝部２０の略中央から垂直に前記裏側近傍の側部まで延びるように形成された水平溝２１ａおよびこの水平溝２１ａに対して垂直に、前記側部に上下に延びるように形成された垂直溝２１ｂからなる第２溝部２１とが設けられている。さらに、幕板１３の両側下部には突出ピン２２が突設されている。
【００１５】
支持具１６の嵌合溝１６ａ（図２には３つを示し、他は２点鎖線にて省略した）の１つには、前記第１溝部２０と第２溝部２１とに挿入されるピン体２３を備えた固定具２４が嵌挿される。この固定具２４は、前記嵌合溝１６ａの溝形状と略同一の外形状の嵌合軸体２５と、この嵌合軸体２５に嵌合溝１６ａから外に出るように固定され、前記ピン体２３が突設された基体部２６からなる。
【００１６】
図３（ａ）は前記固定部材の正面図、図３（ｂ）は同固定部材の平面図、図３（ｃ）は同固定部材の側面図であり、固定部材１７は、図２にも示すようにリング状の水平部３０と、この水平部３０の一端から垂直に突出した垂直部３１とを備え、正面視略Ｌ字状をなしている。この垂直部３１は、スリット３２で２つに接合片３１ａに分離し、さらに、垂直部３１の側部に両接合片３１ａを貫通するように雌ネジ部３３が形成され、また接合片３１ａの接触部分に複数（図では２つを示している）の受け孔３４が形成されている。
【００１７】
次に前記構成の実施例における各部材の組み込みについて説明する。
支持脚１２に設けられた支持具１６の嵌合溝１６ａの１つに、固定具２４の嵌合軸体２５を嵌入して、ピン体２３を脚本体１５から突出させておき、さらに、脚本体１５の下方には固定部材１７のリング状の水平部３０を嵌めておく。
【００１８】
そして、ピン体２３を、幕板１３の第１溝部２０に挿入して第２溝部２１の水平溝２１ａから垂直溝２１ｂへ移動可能にし、この垂直溝２１ｂにてピン体２３を保持固定する。一方、固定部材１７は、幕板１３の突出ピン２２を垂直部３１の解放されている接合片３１ａ間の受け孔３４のいずれかに挿入し、垂直部３１の側部の雌ネジ部３３にねじ３５を螺入して、接合片３１ａを前記突出ピン２２を挟持した状態で接合させ、同時に水平部３０で脚本体１５の周側を挟むようにすることで、固定部材１７を介して脚本体１５に幕板１３を固定する。
【００１９】
このようにして、幕板１３の側部上下は固定具２４と固定部材１７によって、脚本体１５に保持固定される。幕板１３の他側部も同様にして固定具２４と固定部材１７によって、脚本体１５に保持固定される。固定具２４は支持具１６の複数の嵌合溝１６ａから１つを選択することで設置角度が任意に設定でき、また固定部材１７も水平部３０がリング状で脚本体１５の設置角度は任意に設定できるので、脚本体１５に対する幕板１３の設置角度を自由に設定できる。しかも前記水平部３０は脚本体１５に対して上下自由に移動できるため、幕板１３の設置位置も任意に設定できる。
【００２０】
さらに、１本の脚本体１５に複数の幕板１３を取り付けることも可能である。すなわち、固定具２４は、複数個を支持具１６の複数の嵌合溝１６ａに設置でき、また固定部材１７は、脚本体１５に複数個を重ねて設置でき、かつ設置角度を任意に設定できるので、上方の支持具１６に合わせて設置することで、脚本体１５を中心として他方向への幕板１３の設置ができる。
【００２１】
図４（ａ）〜（ｄ）は前記固定部材の脚本体に対する設置例を示しており、図４（ａ）は固定部材１７が１個の場合を示しており、図４（ｂ）〜（ｄ）は固定部材１７が２個，３個，４個の場合をそれぞれ示している。なお、図４（ｄ）において固定部材１７の４個の内の１つは背面側に垂直部３１が配置されており、図には現れていない。このような複数個の場合において、固定部材１７を水平部３０と垂直部３１とで略Ｌ字状にしてあり、しかも、受け孔３４を複数（本実施例では２個）形成してあるので、対向する他の脚本体１５側の固定部材１７に合わせて、垂直部３１の上下の向き等、その設置状態を変えることで各幕板１３の設置高さを揃えることができる。
【００２２】
以上、本発明をテーブルに適用した場合の実施例を説明したが、天板と脚との結合構造を採用する机、カウンター等にも本発明を適用することができる。
【００２３】
【発明の効果】
以上の説明から明らかなように、本発明によれば、固定部材によって幕板の設置位置を脚本体の上下方向あるいは周方向に任意に設定できるようになり、各種の幕板の設置状態に対応でき、さらに、１本の脚本体に複数の幕板が設置可能であり、しかも、幕板の取り付け、取り外しが容易なテーブル、机等の幕板取付装置を提供することができる。
【図面の簡単な説明】
【図１】本発明をテーブルに適用した場合の一実施例を示すテーブルの全体斜視図である。
【図２】本実施例の脚本体と幕板部分の分解斜視図である。
【図３】（ａ）は本実施例の固定部材の正面図、（ｂ）は本実施例の固定部材の平面図、（ｃ）は本実施例の固定部材の側面図である。
【図４】（ａ）、（ｂ）、（ｃ）、（ｄ）はそれぞれ本実施例の固定部材の脚本体への取付例を示す説明図である。
【図５】従来の幕板取付装置の説明図である。
【符号の説明】
１１  天板
１２  支持脚
１３  幕板
１５  脚本体
１６  支持具
１６ａ  嵌合溝
１７  固定部材
２０  第１溝部
２１ａ  水平溝
２１ｂ  垂直溝
２１  第２溝部
２２  突出ピン
２３  ピン体
２４  固定具
２５  嵌合軸体
３０  水平部
３１  垂直部
３１ａ  接合片
３２  スリット
３３  雌ネジ部
３４  受け孔
【図１】
0003575773.tif 000002
【図２】
0003575773.tif 000003
【図３】
0003575773.tif 000004
【図４】
0003575773.tif 000005
【図５】
0003575773.tif 000006